(57)【要約】【課題】足の裏に刺激を与える凸凹状の押圧部材がマット基板から剥離することなく、また、少ないスペースに収納することができる足踏みマットを提供すること。【解決手段】本発明にかかる足踏みマットＡは、可撓性を有するマット本体１０と、このマット本体１０の外表面を覆うカバー部材２０と、果肉を分離し、表面処理を施した後の果実の種子３０とを備えて構成されている。【選択図】　　　　　　図１
2004129767.tif 000002
【特許請求の範囲】
【請求項１】
果肉を分離し、表面処理を施した後の果実の種子と、この果実の種子を収納する収納空間を有するマット本体とを備えるとともに、マット本体は可撓性を有するシート材で形成したことを特徴とする足踏みマット。
【請求項２】
前記収納空間は、シート材を複数に区切り、これら複数の収納空間内部に果実の種子を収納したことを特徴とする請求項１に記載の足踏みマット。
【請求項３】
果実の種子が梅肉と分離した梅の種子であることを特徴とする請求項１又は２に記載の足踏みマット。
【発明の詳細な説明】
【０００１】
【発明の属する技術分野】
本発明は、主として果肉を分離した後の廃棄用の果実の種子を用いた足踏みマットに関する。
【０００２】
【従来の技術】
従来より、素足で青竹を踏んだり、凸凹状に形成された押圧部材を踏むとつぼが集まっている足の裏が刺激されて血行を良くし、これにより健康を促進することが知られており、これを実施するものとして足踏み用具が提供されている。
このような足踏み用具として一般的なものは、硬質で板状のマット基板の表面に多数の自然石を埋設または接着したり、合成樹脂で押圧用突起を一体に形成したものがある。
【０００３】
【発明が解決しようとする課題】
しかしながら、自然石を埋設又は接着するようにした足踏み用具においては、マット基板から凸凹状の押圧部材が剥離するおそれがあり、耐久性に欠けるという問題があった。
また、凹凸をマット基板と一体に形成した場合、マット基板は硬質合成樹脂等からなる厚板状のものが多く、重く嵩張るだけでなく、設置場所や収納場所が広く必要となる等の問題があった。
さらに、従来のものでは凹凸の一が固定されており、足の形状になじみにくく、使い勝手が悪いという問題があった。
【０００４】
本発明は、上記問題点を解決するためになされたものであり、足の裏に刺激を与える凸凹状の押圧部材がマット基板から剥離することなく、また、少ないスペースに収納することができる足踏みマットを提供することを目的とする。
【０００５】
【課題を解決するための手段】
請求項１の発明は、
果肉を分離し、表面処理を施した後の果実の種子と、この果実の種子を収納する収納空間を有するマット本体とを備えるとともに、マット本体は可撓性を有するシート材で形成したことを特徴とする。
【０００６】
請求項２の発明は、請求項１に記載の足踏みマットにおいて、
前記収納空間は、シート材を複数に区切り、これら複数の収納空間内部に果実の種子を収納したことを特徴とする。
【０００７】
請求項３の発明は、請求項１又は２に記載の足踏みマットにおいて、
果実の種子が梅肉と分離した梅の種子であることを特徴とする。
【０００８】
【作用】
請求項１の発明によれば、マット本体は可撓性を有するシート材で形成されるため、シート材を容易に折り畳むことができる。
請求項２の発明によれば、果実の種子をマット本体の複数に区切られた収納空間にそれぞれ分散して収納する。
請求項３の発明によれば、梅の種子をマット本体の収納空間に収納する。また、梅の種子が空間内を移動できるので、足の形状になじむ。
【０００９】
【発明の実施の形態】
以下に、本発明にかかる足踏みマットの一実施形態について図面を用いて詳細に説明する。
図１は、本発明の足踏みマットを示す図である。同図に示すように、この足踏みマットＡは、可撓性を有するマット本体１０と、このマット本体１０の外表面を覆うカバー部材２０と、果肉を分離し、表面処理を施した後の果実の種子３０とを備えて構成されている。
【００１０】
マット本体１０は、本実施形態においては、図２に示すように、可撓性を有するシート材から形成され、一側端部が開口した袋形状に形成されている。また、本実施形態においては、上記マット本体１０は綿布より構成されており、縦×横の寸法が３００ｍｍ×３６０ｍｍに形成されている。
また、上記開口はチャックにより開閉自在に形成され、内部に果実の種子を収納することができる構成となっている。
【００１１】
上記のように構成されたマット本体１０内には、果肉を分離し、表面処理を施した後の果実の種子である梅の種子３０が収納されている。
この梅の種子３０は、果肉が付いた状態の複数の梅をミキサーにかけ、これによって種子から果肉を分裂させる。この工程で種子の角がある程度取り除かれる。そして、種子のみを果肉から分離し、この種子を洗浄、乾燥させる。
そして、上記梅の種子にショットブラストによる表面処理を施すことにより表面が滑らかになる。
【００１２】
上記のように内部に梅の種子３０が収納されたマット本体１０の外表面は、カバー部材２０により被覆されている。
このカバー部材２０は、図１に示すように、マット本体１０のほぼ中央部を被覆して配されるもので、マット本体１０内部に収納された梅の種子３０の凸凹による刺激を得ることができるように、薄手の材質の、ものが用いられている。
【００１３】
つぎに、上記のように構成された足踏みマットＡを使用する場合について説明する。
使用時においては、まず、この足踏みマットＡを床等の平坦な部分に置く。このように平坦な部分に置くのは、マット本体１０内に収容された梅の種子３０をマット本体１０内に略均一に拡散させるためである。
【００１４】
そして、使用者は、床に置かれた足踏みマットＡを踏みつける。このとき、マット本体１０内に収納された梅の種子３０の粒の大きさ、画一的なものではなく、大、中、小、種々の寸法のものが混在している。
【００１５】
したがって、上記梅の種子３０が、足の形状になじむように移動するとともに、寸法の大きさにより足の裏のつぼを程よく刺激し、足への血流を良くして指圧効果を与え、使用者は自然なぬくもりを味わうことができるという効果がある。
【００１６】
また、上記マット本体１０は、可撓性を有するシート材で形成されているため、収納時には、この足踏みマットＡを折り畳んで保存することができ、嵩張ることがなく、収納場所をとることがない。
【００１７】
さらに、元来、産業廃棄物として捨てられてしまう梅の種子を利用しているため、製造コストを低く抑えることができ、さらに産業廃棄物を減少させることができる。
また、この足踏みマットＡの洗浄時には、マット本体１０から梅の種子３０を取り出してマット本体１０のみを洗浄することができる。
【００１８】
つぎに、別の実施形態における足踏みマットＢについて説明する。
なお、前記図１に示した実施形態と同様の構成については詳細な説明は省略するとともに説明の便宜上同じ符号を付する。
【００１９】
本実施形態においては、マット本体１０は、図４に示すように前記マット本体１０の長尺方向の両端部を長期間の使用に耐え得る太い強力な糸１１で縫い合わせることにより、梅の種子３０を収納する複数の収納空間１０ａ〜１０ｅを形成する。
【００２０】
つぎに、このマット本体１０に形成された収納空間１０ａ〜１０ｅに梅の種子３０を収納し、この梅の種子３０が外部に漏れ出ないようにマット本体１０の両端部を閉じ合わせた状態で縫製する。
【００２１】
以上のように構成された足踏みマットＢは、マット本体１０の長尺方向に直交する方向に容易に曲げたり、丸めたりすることができ、使い勝手がよくなるという効果がある。
【００２２】
以上、本発明の実施形態について詳細に説明してきたが、本発明の足踏みマットは請求項に記載の範囲内において種々に変更可能であって、例えば、図５に示すように、多数の梅の種子３０を帯状に形成された袋状部材４０内に収納し、この袋状部材４０を複数個用意して、マット本体１０内に収納する構成とすることも可能である。
【００２３】
また、上記実施形態においては、果実の種子として梅の種子が用いられていたが、例えば、スダチや山桃、椎の実の種子、又は小豆やドングリ等であっても構わず、さらには、球形若しくは粒状の合成樹脂製品であっても構わない。
さらにまた、上記実施形態においては、足踏みマットについて説明したが、例えば、枕や座布団等の他の用途に用いることはもちろん可能であり、また、果実の種子は、本来産業廃棄物にされるものに限定されるものではない。
【００２４】
また、マット本体１０やカバー部材２０の形状、材質等は上記実施形態に限定されるものではなく、例えば、木綿や合成樹脂製の布地を使用することができ、特に肌触りのよいものを使用すればよい。
また、布地に限定されるものではなく、不織布などであっても構わない。
【００２５】
【発明の効果】
請求項１の発明によれば、マット本体は可撓性を有するシート材で形成されるため、マット本体を容易に折り畳むことができる。
この結果、収納時には、この足踏みマットを折り畳んで保存することができ、嵩張ることがなく、収納場所をとることがない。
【００２６】
請求項２の発明によれば、果実の種子がマット本体の複数に区切られた収納空間に収納された状態で、その上に足の裏を乗せて使用される。
この結果、請求項１の発明の効果に加えて、果実の種子がマット本体内で偏ることなく、均一に配することができるという効果がある。
【００２７】
請求項３の発明によれば、梅の種子をマット本体の収納空間に収納する。
さらに、元来、産業廃棄物として捨てられてしまう梅の種子を利用しているため、製造コストを低く抑えることができ、さらに産業廃棄物を減少させることができる。
また、梅の種子が空間内を移動できるので、足の形状になじみやすく、可撓性シート材の柔軟性とともに、足の裏のつぼを的確に押圧することができるという効果がある。
【００２８】
【図面の簡単な説明】
【図１】本発明にかかる足踏みマットを示す斜視図である。
【図２】本発明にかかる足踏みマットのマット本体を示す斜視図である。
【図３】本発明にかかる足踏みマットの他の実施形態を示す斜視図である。
【図４】本発明にかかる足踏みマットの他の実施形態を示す斜視図である。
【符号の説明】
Ａ　　　足踏みマット
１０　　マット本体
２０　　カバー
３０　　梅の種子
【図１】
2004129767.tif 000003
【図２】
2004129767.tif 000004
【図３】
2004129767.tif 000005
【図４】
2004129767.tif 000006